(57)【要約】【課題】  自動施錠錠の施錠を確実に検知でき、すなわち作動の信頼性が大きく、しかも耐久性に優れた施錠検知機構を提供する。【解決手段】  錠箱のフロント板を貫通するようにして、フロント板２に垂直な前後方向に移動可能に案内されたトリガー杆４を設け、一方、デッドボルトの頭部付近における錠箱内に、施錠レバー軸６によって錠箱側板に平行な平面内で回動可能に支承され、少なくともデッドボルト頭部の段部に係合可能に臨む前端と、トリガー杆の内端に前方から係合する係合端とを形成した施錠レバー５を設け、他方、施錠レバーの前端に永久磁石１１を装着すると共に、この永久磁石に関しデッドボルトとは反対側における錠箱内に検磁素子１２を固設した。【選択図】  図１
2012215011.tif 000002
【特許請求の範囲】
【請求項１】
錠箱のフロント板を貫通するようにして、フロント板に垂直な前後方向に移動可能に案内されたトリガー杆を設け、一方、デッドボルトの頭部付近における錠箱内に、施錠レバー軸によって錠箱側板に平行な平面内で回動可能に支承され、少なくともデッドボルト頭部の段部に係合可能に臨む前端と、トリガー杆の内端に前方から係合する係合端とを形成した施錠レバーを設け、他方、施錠レバーの前端に永久磁石を装着すると共に、この永久磁石に関しデッドボルトとは反対側における錠箱内に検磁素子を固設し、解錠時これら永久磁石と検磁素子とが近接し、施錠して施錠レバーの前端がデッドボルトに近接すると磁石と検磁素子とが離間するようにしたことを特徴とする施錠検知機構。
【発明の詳細な説明】
【技術分野】
【０００１】
この発明は、所謂自動施錠錠に装着される施錠検知機構（以下単に施錠検知機構という）に係り、特に、施錠を確実に検知でき、しかも耐久性に優れた施錠検知機構に関する。
【背景技術】
【０００２】
施錠検知機構とは、錠前が施錠されていることを電気信号として取り出すもので、通常は電気錠の機能の一部として構成する場合が多いが、機械的なシリンダ錠を備えた錠箱にも勿論装着することができる。
【０００３】
上記施錠検知機構は、例えばビルの管理室に設けた場合、管理室に居ながらにして、多数の部屋の施錠状態を一目で見ることができ、ビル管理上大変に便利である。
【先行技術文献】
【非特許文献】
【０００４】
【非特許文献１】出願人会社の図面
【発明の概要】
【発明が解決しようとする課題】
【０００５】
自動施錠錠は、機械式のものも、また、電磁アクチュエータによって制御されるものも、図５に示すように、錠箱１のフロント板２を貫通してこれに垂直な前後方向（図５で左右方向）に移動可能に案内されたデッドボルト３とトリガー杆４と施錠レバー５とを備えている。
【０００６】
この施錠レバー５は、例えば図３に示すように、全体の形状が略Ｔ字形の板状体で、施錠レバー軸６の周りを錠箱側板に平行な平面内で回動可能に支承されており、施錠レバーばね７の弾力により図５で反時計方向に、すなわち施錠レバーの前端（図５で左端）がデッドボルト３のデッドボルトヘッドとデッドボルト軸の間の段部に係合可能に付勢されている。
【０００７】
一方、上記トリガー杆４はデッドボルト３と同様にフロント板２に垂直な前後方向に移動可能に案内されており、施錠レバー４の下端はトリガー杆４の内端に前方から係合している。
【０００８】
したがって、閉扉時トリガー杆４が錠箱１内に押し込まれると、施錠レバー４はその付勢力により反時計方向に、すなわち、その前端がデッドボルト３の段部に乗り上がるように回動し、この状態で閉扉が完了してデッドボルト３が扉枠のデッドボルト孔に投入されると、デッドボルトは急激に前方に移動し、施錠レバーの前端がデッドボルトの段部に係合して以後デッドボルトを錠箱内に引っ込めることができなくなる。すなわち、デッドボルトは自動的に施錠される。
【０００９】
以上の説明から明らかなように、施錠信号は施錠レバーの反時計方向の回動を検知することにより得られるが、例えば施錠レバーにより直接マイクロスイッチなどを駆動するように構成された施錠検知機構は、弱い施錠レバーばねによって駆動されるので動作が不安定になり、また、施錠レバーの周辺は機構が詰まっていて施錠検知機構の設置が困難である。
【００１０】
そこで、この発明は、構造が簡単で作動が確実であり、しかも耐久性に優れち施錠検知機構を提案することを目的としている。
【課題を解決するための手段】
【００１１】
上記の目的を達成するため、この発明は、錠箱のフロント板を貫通するようにして、フロント板に垂直な前後方向に移動可能に案内されたトリガー杆を設け、一方、デッドボルトの頭部付近における錠箱内に、施錠レバー軸によって錠箱側板に平行な平面内で回動可能に支承され、少なくともデッドボルト頭部の段部に係合可能に臨む前端と、トリガー杆の内端に前方から係合する係合端とを形成した施錠レバーを設け、他方、施錠レバーの前端に永久磁石を装着すると共に、この永久磁石に関しデッドボルトとは反対側における錠箱内に検磁素子を固設し、解錠時これら永久磁石と検磁素子とが近接し、施錠して施錠レバーの前端がデッドボルトに近接すると磁石と検磁素子とが離間するようにしたことを特徴とする。
【発明の効果】
【００１２】
上記のように構成されたこの発明の一実施例による施錠検知機構は、施錠レバーの前端部に永久磁石を装着し、この永久磁石に関しデッドボルトとは反対側の部分に検磁素子を固設しただけなので、構造が簡単である。
【００１３】
また、永久磁石と検磁素子との近接、及び離間の区別により施錠を検出できるので、施錠検知機構としての作動が確実である。
【００１４】
更にまた、永久磁石と検磁素子の接合部に掛かる力は施錠レバーの付勢力を超えない僅かなものであるし、衝突も生じないことから、耐久性にも優れている、等種々の効果を奏する。
【図面の簡単な説明】
【００１５】
【図１】本発明による施錠検知機構を備えた電気錠の側面図。
【図２】施錠検知機構の要部の拡大正面図で、解錠状態を示す。
【図３】図２と同様の拡大正面図で、永久磁石が検磁素子から少し離れた状態を示す。
【図４】図２と同様の拡大正面図で、施錠状態を示す。
【図５】従来の自動施錠錠の側面図。
【発明を実施するための形態】
【００１６】
自動施錠錠の施錠レバーの前端に永久磁石を装着すると共に、この永久磁石に関しデッドボルトとは反対側における錠箱内に検磁素子を固設する、という簡単な構成で作動が確実な施錠検知機構を構成することができた。
【実施例１】
【００１７】
以下、この発明の一実施例を図面を参照して説明する。
図１において符号３は電気錠のデッドボルトを、符号８はラッチボルトを夫々示し、これ等デッドボルト３及びラッチボルト８の構成及び作用は本発明の要旨ではないので、更に詳細な説明は省略する。
【００１８】
また、錠箱１のフロント板２の近傍で、上記デッドボルト３及びラッチボルト８の間における部分にはトリガー杆４が配設されている。
【００１９】
このトリガー杆４は、例えばフロント板２外に突出する部分の水平投影形状が山形の厚板材で、フロント板２を貫通してこれに垂直な前後方向（図１で左右方向）に移動可能に案内されている。
【００２０】
そして、トリガーばね９の弾力により、前方（図１で左方）に突出する方向に付勢されている。
【００２１】
このトリガー杆４は、施錠時図示しない扉枠と係合して錠箱内に押し込まれ、このトリガー杆４の移動を利用して錠箱内の機能ブロックを制御するものであるが、トリガー杆４そのものの構成及び機能は周知であるから、更に詳細な説明は省略する。
【００２２】
一方、錠箱１内の前方において、デッドボルト３の近傍に施錠レバー５が配設されていることは、前記した従来の自動施錠錠と同様である。
【００２３】
この施錠錠５は、前記した従来の自動施錠錠と同様に、その中央部を施錠レバー軸６の周りを回動可能に支承され、施錠レバー軸６に卷装された施錠レバーばね７の弾力により、図１で反時計方向に、すなわち施錠レバー５の前端（図１で左端）がデッドボルト３のデッドボルトヘッドとデッドボルト軸の間の段部に係合可能に付勢されている。
【００２４】
この施錠レバー５は、図２乃至図４に示すように、全体の形状が略Ｔ字形の板状体で、施錠レバー軸６の周りを錠箱側板に平行な平面内で回動可能に支承されている。
【００２５】
そして、施錠レバー５の前端には永久磁石１１が装着されている（図１乃至図４参照）。
図示の実施例における永久磁石１１は、施錠レバー５の前端部を９０度折り曲げて水平な棚部を形成し、この棚部に永久磁石１１が載置、固定されている。
【００２６】
また、この永久磁石１１に関しデッドボルトとは反対側における錠箱内に検磁素子が固設されている。
【００２７】
この検磁素子１２と永久磁石１１の間隔は、もちろん施錠レバー５の角度位置によって変化するが、図１に示すように開扉してトリガー杆４が最大減に突出しているときに、図２に示すように最小になるように設定されている。
【００２８】
なお、図５に示す従来の自動施錠錠と同様に、施錠レバー５の下端の係合端はトリガー杆４の内端に前方から係合している。
【００２９】
上記のように構成されたこの発明の一実施例による施錠検知機構は、図１お呼び図２に示す開扉状態、換言すれば自動施錠錠の解錠状態では永久磁石１１と検磁素子１２との間隔は最小になっており、例えばこのときリードスイッチなどの検磁素子１２が閉成されるとすると、リードスイッチの平成に対応する検磁素子の出力信号を解錠信号として取り出し、これを例えばビルの管理室の制御装置に供給する。
【００３０】
閉扉時にはデッドボルト３は一時的に錠箱１内に押し込まれ、同時にトリガー杆４も錠箱１内に押し込まれるが、このトリガー杆４の移動に伴って図２〜図４に示すように施錠レバー５の角度位置が変わる。
【００３１】
すなわち、図１及び図２に示す開扉状態から、図３に示す中間状態、及び図４に示す閉扉及び施錠状態にまで単調に永久磁石１１と検磁素子１２との間隔が大きくなる。
【００３２】
そして、図４に示す状態では施錠レバー５の先端がデッドボルト３の先端部の中間段部に乗り上がる。
【００３３】
それ以前に、検磁素子１２からの出力信号が消失するので、この出力信号を施錠信号として取り出す。
【符号の説明】
【００３４】
１  錠箱
２  フロント板
３  デッドボルト
４  トリガー杆
５  施錠レバー
６  施錠レバー軸
７  施錠レバーばね
８  ラッチボルト
９  トリガーばね
１１  永久磁石
１２  検磁素子
【図１】
2012215011.tif 000003
【図２】
2012215011.tif 000004
【図３】
2012215011.tif 000005
【図４】
2012215011.tif 000006
【図５】
2012215011.tif 000007